【手続補正書】
【提出日】平成28年2月23日(2016.2.23)
【手続補正１】
【補正対象書類名】特許請求の範囲
【補正対象項目名】全文
【補正方法】変更
【補正の内容】
【特許請求の範囲】
【請求項１】
第１の方向に搬送される印刷用紙に、前記第１の方向と交差する第２の方向に複数配設されてドットサイズの異なるインク滴を吐出するインクノズルの吐出不良を検出し、
複数の前記インクノズルのうちの第１のインクノズルで吐出不良が検出された時、前記第１のインクノズルで吐出させる印刷データのインク滴のドットサイズに基づいて、前記第１のインクノズルと隣り合う第２のインクノズルで吐出されるインク滴のドットサイズを設定することを特徴とするプリンターの印刷方法。
【請求項２】
前記第１のインクノズルで吐出不良が検出された時に設定される前記第２のインクノズルで吐出されるドットのドットサイズは、前記第１のインクノズルで吐出させる印刷データのインク滴のドットサイズと、前記第２のインクノズルで吐出させる印刷データのインク滴のドットサイズとに基づいて設定される請求項１に記載のプリンターの印刷方法。
【請求項３】
前記第１のインクノズルで吐出不良が検出された時、前記第１のインクノズルで吐出させる印刷データのインク滴のドットサイズに基づいて、前記第２のインクノズルと異なる前記第２の方向で前記第１のインクノズルと隣り合う第３のインクノズルで吐出されるインク滴のドットサイズを設定する請求項１または２に記載のプリンターの印刷方法。
【請求項４】
前記第１のインクノズルで吐出不良が検出された時に設定される前記第３のインクノズルで吐出されるドットのドットサイズは、前記第１のインクノズルで吐出させる印刷データのインク滴のドットサイズと、前記第３のインクノズルで吐出させる印刷データのインク滴のドットサイズとに基づいて設定される請求項３に記載のプリンターの印刷方法。
【請求項５】
前記第１のインクノズルで吐出不良が検出された時の前記第２のインクノズルで吐出されるインク滴のドットサイズの設定は、予め記憶されたテーブルに基づいて行う請求項１乃至４のいずれか１項に記載のプリンターの印刷方法。
【請求項６】
第１の方向に印刷用紙を搬送する搬送機構と、
前記第１の方向と交差する第２の方向に配設されてドットサイズの異なるインク滴を吐出するインクノズルを複数有し、前記印刷用紙に印刷を行う印刷ヘッドと、
前記インクノズルの吐出不良を検出する検出制御、複数の前記インクノズルのうち第１のインクノズルが吐出不良であることを検出したときに前記第１のインクノズルで吐出させる印刷データのインク滴のドットサイズに基づいて前記第１のインクノズルと隣り合う第２のインクノズルで吐出されるインク滴のドットサイズを設定する画像処理制御、及び前記印刷ヘッドに印刷を行わせる印刷制御を実行する制御部と、
を備えることを特徴とするプリンター。
【請求項７】
前記制御部は、前記第１のインクノズルで吐出不良が検出された時に設定される前記第２のインクノズルで吐出されるインク滴のドットサイズを、前記第１のインクノズルで吐出させる印刷データのインク滴のドットサイズと、前記第２のインクノズルで吐出させる印刷データのインク滴のドットサイズとに基づいて設定する請求項６に記載のプリンター。
【請求項８】
前記制御部は、前記第１のインクノズルで吐出不良が検出された時、前記第１のインクノズルで吐出させる印刷データのインク滴のドットサイズに基づいて、前記第２のインクノズルと異なる前記第２の方向で前記第１のインクノズルと隣り合う第３のインクノズルで吐出されるインク滴のドットサイズを設定する請求項６または７に記載のプリンター。
【手続補正２】
【補正対象書類名】明細書
【補正対象項目名】０００８
【補正方法】変更
【補正の内容】
【０００８】
上記の課題を解決するために、本発明のプリンターの印刷方法は、第１の方向に搬送される印刷用紙に、前記第１の方向と交差する第２の方向に複数配設されてドットサイズの異なるインク滴を吐出するインクノズルの吐出不良を検出し、複数の前記インクノズルのうちの第１のインクノズルで吐出不良が検出された時、前記第１のインクノズルで吐出させる印刷データのインク滴のドットサイズに基づいて、前記第１のインクノズルと隣り合う第２のインクノズルで吐出されるインク滴のドットサイズを設定することを特徴とする。
【手続補正３】
【補正対象書類名】明細書
【補正対象項目名】００１０
【補正方法】変更
【補正の内容】
【００１０】
本発明において、前記第１のインクノズルで吐出不良が検出された時に設定される前記第２のインクノズルで吐出されるドットのドットサイズは、前記第１のインクノズルで吐出させる印刷データのインク滴のドットサイズと、前記第２のインクノズルで吐出させる印刷データのインク滴のドットサイズとに基づいて設定されることが望ましい。このようにすれば、第２のインクノズルから印刷時に吐出されるドットサイズのインク滴により印刷用紙に形成される印刷画像部分の諧調が、予め印刷データにより規定されていたドットサイズのインク滴によって印刷用紙に形成される印刷画像部分の諧調と比較して、著しく異なるものとなってしまうことを防止できる。
【手続補正４】
【補正対象書類名】明細書
【補正対象項目名】００１１
【補正方法】変更
【補正の内容】
【００１１】
本発明において、前記第１のインクノズルで吐出不良が検出された時、前記第１のインクノズルで吐出させる印刷データのインク滴のドットサイズに基づいて、前記第２のインクノズルと異なる前記第２の方向で前記第１のインクノズルと隣り合う第３のインクノズルで吐出されるインク滴のドットサイズを設定することが望ましい。このようにすれば、白スジの発生を抑制する際に、第１のインクノズルの一方側および他方側で隣接する２つのインクノズルについて、これらのインクノズルから吐出されるインク滴のドットサイズを設定できる。
【手続補正５】
【補正対象書類名】明細書
【補正対象項目名】００１２
【補正方法】変更
【補正の内容】
【００１２】
本発明において、前記第１のインクノズルで吐出不良が検出された時に設定される前記第３のインクノズルで吐出されるドットのドットサイズは、前記第１のインクノズルで吐出させる印刷データのインク滴のドットサイズと、前記第３のインクノズルで吐出させる印刷データのインク滴のドットサイズとに基づいて設定されることが望ましい。このようにすれば、白スジの発生を抑制する際に、第１のインクノズルの一方側で隣接する第２のインクノズルから吐出されるインク滴のドットサイズと、第１のインクノズルの他方側で隣接する第３のインクノズルから吐出されるインク滴のドットサイズとがそれぞれ独立して適切な大きさに設定される。
【手続補正６】
【補正対象書類名】明細書
【補正対象項目名】００１３
【補正方法】変更
【補正の内容】
【００１３】
本発明において、前記第１のインクノズルで吐出不良が検出された時の前記第２のインクノズルで吐出されるインク滴のドットサイズの設定は、予め記憶されたテーブルに基づいて行うことが望ましい。このようにすれば、ドットサイズの設定を迅速に行うことができる。
【手続補正７】
【補正対象書類名】明細書
【補正対象項目名】００１５
【補正方法】変更
【補正の内容】
【００１５】
次に、本発明のプリンターは、第１の方向に印刷用紙を搬送する搬送機構と、前記第１の方向と交差する第２の方向に配設されてドットサイズの異なるインク滴を吐出するインクノズルを複数有し、前記印刷用紙に印刷を行う印刷ヘッドと、前記インクノズルの吐出不良を検出する検出制御、複数の前記インクノズルのうち第１のインクノズルが吐出不良であることを検出したときに前記第１のインクノズルで吐出させる印刷データのインク滴のドットサイズに基づいて前記第１のインクノズルと隣り合う第２のインクノズルで吐出されるインク滴のドットサイズを設定する画像処理制御、及び前記印刷ヘッドに印刷を行わせる印刷制御を実行する制御部と、を備えることを特徴とする。
【手続補正８】
【補正対象書類名】明細書
【補正対象項目名】００１７
【補正方法】変更
【補正の内容】
【００１７】
本発明において、前記制御部は、前記第１のインクノズルで吐出不良が検出された時に設定される前記第２のインクノズルで吐出されるインク滴のドットサイズを、前記第１のインクノズルで吐出させる印刷データのインク滴のドットサイズと、前記第２のインクノズルで吐出させる印刷データのインク滴のドットサイズとに基づいて設定することが望ましい。このようにすれば、第２のインクノズルから印刷時に吐出されるインク滴により印刷用紙に形成される印刷画像部分の諧調が、予め印刷データで規定されていたドットサイズのインク滴によって印刷用紙に形成される印刷画像部分の諧調と比較して、著しく異なるものとなってしまうことを防止できる。
【手続補正９】
【補正対象書類名】明細書
【補正対象項目名】００１８
【補正方法】変更
【補正の内容】
【００１８】
本発明において、前記制御部は、前記第１のインクノズルで吐出不良が検出された時、前記第１のインクノズルで吐出させる印刷データのインク滴のドットサイズに基づいて、前記第２のインクノズルと異なる前記第２の方向で前記第１のインクノズルと隣り合う第３のインクノズルで吐出されるインク滴のドットサイズを設定することが望ましい。このようにすれば、白スジの発生を抑制する際に、第１のインクノズルの一方側および他方側で隣接する２つのインクノズルについて、これらのインクノズルから吐出されるインク滴のドットサイズを設定できる。